(57)【要約】【課題】追い刷り印刷を行う場合にあって、印刷される媒体の色を隠蔽するための指定に応じて、印刷ジョブを生成することができる画像処理装置を提供する。【解決手段】画像処理装置の受付手段は、印刷される媒体の色を隠蔽するための指定を受け付け、生成手段は、前記指定を用いて、複数回同じ色を印刷する追刷印刷用の印刷ジョブを生成し、制御手段は、前記生成手段によって生成された印刷ジョブにしたがって、印刷処理を制御する。【選択図】図１
2019198977.tif 000002
【特許請求の範囲】
【請求項１】
印刷される媒体の色を隠蔽するための指定を受け付ける受付手段と、
前記指定を用いて、複数回同じ色を印刷する追刷印刷用の印刷ジョブを生成する生成手段と、
前記生成手段によって生成された印刷ジョブにしたがって、印刷処理を制御する制御手段
を有する画像処理装置。
【請求項２】
前記指定は、前記追刷印刷で用いられる色の色材の出力割合、又は、前記媒体の色を隠蔽する率を示す隠蔽率の指定である、
請求項１に記載の画像処理装置。
【請求項３】
前記出力割合として、１００％より大の値が指定できるようにする、
請求項２に記載の画像処理装置。
【請求項４】
前記生成手段は、前記出力割合から前記追刷印刷の回数と各追刷印刷の出力割合を決定する、
請求項３に記載の画像処理装置。
【請求項５】
前記隠蔽率として、１００％以下の値に限定する、
請求項２に記載の画像処理装置。
【請求項６】
前記生成手段は、隠蔽率と該隠蔽率を達成するための出力割合を対応させて記憶している記憶手段を用いて、前記指定の隠蔽率から出力割合を抽出し、抽出した該出力割合から前記追刷印刷の回数と各追刷印刷の出力割合を決定する、
請求項５に記載の画像処理装置。
【請求項７】
前記生成手段によって生成された印刷ジョブを選択可能に表示する表示手段
をさらに有し、
前記制御手段は、２回目以降の追刷印刷の場合、選択された印刷ジョブにしたがって、印刷処理を制御する、
請求項１に記載の画像処理装置。
【請求項８】
前記生成手段は、印刷ジョブの名称として、追刷印刷であり、その回数がわかるような名称を付与し、
前記表示手段は、印刷ジョブの名称を表示する、
請求項７に記載の画像処理装置。
【請求項９】
前記生成手段は、最後に印刷する印刷ジョブにおいて総量規制による判断を行う、
請求項１に記載の画像処理装置。
【請求項１０】
前記生成手段は、最後に印刷する印刷ジョブにおいて、総量規制より多い又は以上となる画素がある場合は、該印刷ジョブを分割する、
請求項９に記載の画像処理装置。
【請求項１１】
前記生成手段は、前記印刷ジョブを、下塗りの印刷ジョブと下塗り以外の印刷ジョブに分割する、
請求項１０に記載の画像処理装置。
【請求項１２】
コンピュータを、
印刷される媒体の色を隠蔽するための指定を受け付ける受付手段と、
前記指定を用いて、複数回同じ色を印刷する追刷印刷用の印刷ジョブを生成する生成手段と、
前記生成手段によって生成された印刷ジョブにしたがって、印刷処理を制御する制御手段
として機能させるための画像処理プログラム。
【請求項１３】
印刷される媒体の色を隠蔽するための指定を受け付ける受付ステップと、
前記指定を用いて、複数回同じ色を印刷する追刷印刷用の印刷ジョブを生成する生成ステップと、
前記生成ステップによって生成された印刷ジョブにしたがって、印刷処理を制御する制御ステップ
を有する画像処理方法。
【発明の詳細な説明】
【技術分野】
【０００１】
本発明は、画像処理装置、画像処理プログラム及び画像処理方法に関する。
【背景技術】
【０００２】
特許文献１には、複数の有色トナーと光沢度調整用の特殊トナーを用いた印刷を指示する印刷ジョブを処理する印刷制御装置であって、前記印刷ジョブに基づき形成される画像において、前記複数の有色トナーの合計の載り量と前記特殊トナーの予め定められた載り量との合計の載り量が前記印刷ジョブで指定される印刷装置で印字可能なトナーの載り量の上限値を超えているか判定する判定手段と、前記判定手段により前記複数の有色トナーの合計の載り量と前記特殊トナーの予め定められた載り量との合計の載り量が前記上限値を超えていると判定された画像領域の全画像に占める割合に応じて、前記印刷ジョブを前記有色トナーで印刷するジョブと前記特殊トナーで印刷するジョブに分割する分割手段と、前記分割手段により分割されたジョブを印刷装置に対して送信する送信手段と、前記特殊トナーで印刷するジョブに基づく印刷を行う際に、前記有色トナーで印刷するジョブに基づいて印刷された印刷物を印刷装置の給紙手段にセットさせる際のガイド表示を当該印刷装置の表示手段に表示させるように指示する表示指示手段と、を有することが開示されている。
【先行技術文献】
【特許文献】
【０００３】
【特許文献１】特許第５１１１２２７号公報
【発明の概要】
【発明が解決しようとする課題】
【０００４】
例えば、色付きの媒体に対して印刷を行う場合、その媒体の色が印刷画像に影響を及ぼすことになる。具体例として、黒色媒体に印刷した場合、印刷画像も全体に黒がかった色合いになってしまう。そこで、印刷画像の下地として白色等を印刷し、媒体の色の影響を軽減することが行われている。ただし、媒体の色の影響をより軽減するためには（例えば、媒体の色の影響をなくすためには）、その下地として印刷する白色等を複数回印刷する必要がある場合がある。この印刷を追い刷り印刷という。例えば、ユーザーによって印刷される媒体の色を隠蔽するための指定ができる場合、印刷ジョブを都度生成する必要が生じる。
本発明は、追い刷り印刷を行う場合にあって、印刷される媒体の色を隠蔽するための指定に応じて、印刷ジョブを生成することができる画像処理装置、画像処理プログラム及び画像処理方法を提供することを目的としている。
【課題を解決するための手段】
【０００５】
かかる目的を達成するための本発明の要旨とするところは、次の各項の発明に存する。
請求項１の発明は、印刷される媒体の色を隠蔽するための指定を受け付ける受付手段と、前記指定を用いて、複数回同じ色を印刷する追刷印刷用の印刷ジョブを生成する生成手段と、前記生成手段によって生成された印刷ジョブにしたがって、印刷処理を制御する制御手段を有する画像処理装置である。
【０００６】
請求項２の発明は、前記指定は、前記追刷印刷で用いられる色の色材の出力割合、又は、前記媒体の色を隠蔽する率を示す隠蔽率の指定である、請求項１に記載の画像処理装置である。
【０００７】
請求項３の発明は、前記出力割合として、１００％より大の値が指定できるようにする、請求項２に記載の画像処理装置である。
【０００８】
請求項４の発明は、前記生成手段は、前記出力割合から前記追刷印刷の回数と各追刷印刷の出力割合を決定する、請求項３に記載の画像処理装置である。
【０００９】
請求項５の発明は、前記隠蔽率として、１００％以下の値に限定する、請求項２に記載の画像処理装置である。
【００１０】
請求項６の発明は、前記生成手段は、隠蔽率と該隠蔽率を達成するための出力割合を対応させて記憶している記憶手段を用いて、前記指定の隠蔽率から出力割合を抽出し、抽出した該出力割合から前記追刷印刷の回数と各追刷印刷の出力割合を決定する、請求項５に記載の画像処理装置である。
【００１１】
請求項７の発明は、前記生成手段によって生成された印刷ジョブを選択可能に表示する表示手段をさらに有し、前記制御手段は、２回目以降の追刷印刷の場合、選択された印刷ジョブにしたがって、印刷処理を制御する、請求項１に記載の画像処理装置である。
【００１２】
請求項８の発明は、前記生成手段は、印刷ジョブの名称として、追刷印刷であり、その回数がわかるような名称を付与し、前記表示手段は、印刷ジョブの名称を表示する、請求項７に記載の画像処理装置である。
【００１３】
請求項９の発明は、前記生成手段は、最後に印刷する印刷ジョブにおいて総量規制による判断を行う、請求項１に記載の画像処理装置である。
【００１４】
請求項１０の発明は、前記生成手段は、最後に印刷する印刷ジョブにおいて、総量規制より多い又は以上となる画素がある場合は、該印刷ジョブを分割する、請求項９に記載の画像処理装置である。
【００１５】
請求項１１の発明は、前記生成手段は、前記印刷ジョブを、下塗りの印刷ジョブと下塗り以外の印刷ジョブに分割する、請求項１０に記載の画像処理装置である。
【００１６】
請求項１２の発明は、コンピュータを、印刷される媒体の色を隠蔽するための指定を受け付ける受付手段と、前記指定を用いて、複数回同じ色を印刷する追刷印刷用の印刷ジョブを生成する生成手段と、前記生成手段によって生成された印刷ジョブにしたがって、印刷処理を制御する制御手段として機能させるための画像処理プログラムである。
【００１７】
請求項１３の発明は、印刷される媒体の色を隠蔽するための指定を受け付ける受付ステップと、前記指定を用いて、複数回同じ色を印刷する追刷印刷用の印刷ジョブを生成する生成ステップと、前記生成ステップによって生成された印刷ジョブにしたがって、印刷処理を制御する制御ステップを有する画像処理方法である。
【発明の効果】
【００１８】
請求項１の画像処理装置によれば、追い刷り印刷を行う場合にあって、印刷される媒体の色を隠蔽するための指定に応じて、印刷ジョブを生成することができる。
【００１９】
請求項２の画像処理装置によれば、追刷印刷で用いられる色の色材の出力割合、又は、媒体の色を隠蔽する率を示す隠蔽率を指定することができる。
【００２０】
請求項３の画像処理装置によれば、出力割合として、１００％より大の値が指定することができる。
【００２１】
請求項４の画像処理装置によれば、出力割合から追刷印刷の回数と各追刷印刷の出力割合を決定することができる。
【００２２】
請求項５の画像処理装置によれば、隠蔽率として、不可能な値を指定できないようにしている。
【００２３】
請求項６の画像処理装置によれば、隠蔽率から追刷印刷の回数と各追刷印刷の出力割合を決定することができる。
【００２４】
請求項７の画像処理装置によれば、２回目以降の追刷印刷の場合、印刷ジョブを選択することができる。
【００２５】
請求項８の画像処理装置によれば、印刷ジョブの名称から、追刷印刷であり、その追刷印刷の回数がわかる。
【００２６】
請求項９の画像処理装置によれば、最後に印刷する印刷ジョブでも総量規制にしたがった印刷を行うことができる。
【００２７】
請求項１０の画像処理装置によれば、総量規制にしたがった印刷ジョブに分割することができる。
【００２８】
請求項１１の画像処理装置によれば、印刷ジョブを、下塗りの印刷ジョブと下塗り以外の印刷ジョブに分割することができる。
【００２９】
請求項１２の画像処理プログラムによれば、追い刷り印刷を行う場合にあって、印刷される媒体の色を隠蔽するための指定に応じて、印刷ジョブを生成することができる。
【００３０】
請求項１３の画像処理方法によれば、追い刷り印刷を行う場合にあって、印刷される媒体の色を隠蔽するための指定に応じて、印刷ジョブを生成することができる。
【図面の簡単な説明】
【００３１】
【図１】第１の実施の形態の構成例についての概念的なモジュール構成図である。
【図２】本実施の形態を利用したシステム構成例を示す説明図である。
【図３】下塗り印刷の例を示す説明図である。
【図４】追刷印刷の例を示す説明図である。
【図５】追刷印刷の例を示す説明図である。
【図６】第１の実施の形態による処理例を示すフローチャートである。
【図７】画面の表示例を示す説明図である。
【図８】隠蔽率・トナー総出力プロファイルテーブルのデータ構造例を示す説明図である。
【図９】第１の実施の形態による処理例を示すフローチャートである。
【図１０】第１の実施の形態による処理例を示すフローチャートである。
【図１１】第１の実施の形態による処理例を示す説明図である。
【図１２】第１の実施の形態による処理例を示す説明図である。
【図１３】第１の実施の形態による処理例を示す説明図である。
【図１４】第１の実施の形態による処理例を示す説明図である。
【図１５】第２の実施の形態の構成例についての概念的なモジュール構成図である。
【図１６】第２の実施の形態による処理例を示すフローチャートである。
【図１７】第２の実施の形態による処理例を示すフローチャートである。
【図１８】第２の実施の形態による処理例を示す説明図である。
【図１９】第２の実施の形態による処理例を示す説明図である。
【図２０】本実施の形態を実現するコンピュータのハードウェア構成例を示すブロック図である。
【発明を実施するための形態】
【００３２】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理ごとに又はモジュール内で複数の処理を行う場合はその処理ごとに、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３３】
第１の実施の形態である画像処理モジュール１００は、媒体に追刷印刷を行うものであって、図１の例に示すように、ＵＩ（Ｕｓｅｒ  Ｉｎｔｅｒｆａｃｅ）制御モジュール１１０、印刷ジョブ生成モジュール１２０、印刷制御モジュール１３０、印刷実行モジュール１４０を有している。
「追刷印刷」については、図３、図４の例を用いて詳述する。
なお、本実施の形態での「媒体（メディア、記録媒体、印刷媒体ともいわれる）」は、印刷される媒体であればよく、素材は問わない。例えば、媒体として、従前の記録紙（紙、用紙）に限られず、合成樹脂等の（透明）フィルムも含む。
また、「給紙手段」（シートフィーダー、給紙トレイ、用紙トレイ、給紙カセット、デッキといわれるものを含む）についても、もちろんのことながら、給紙手段に設定（一般的には、セットともいわれる行為を含む）できるものは媒体であって、記録紙に限るものではない（給紙手段という名称に「給紙」が含まれているからといって、紙に限定する意図はない）。
本実施の形態は、同じ媒体に対して複数回の印刷を行うものであって、２回目以降の印刷にあっては、操作者が前回の印刷が行われた媒体を給紙手段にセットすることを行う。例えば、２回目の印刷を行う際には、操作者は、１回目の印刷が行われた媒体（用紙）を給紙手段にセットすることが必要になる。
【００３４】
ＵＩ制御モジュール１１０は、受付モジュール１１２、表示モジュール１１４を有しており、印刷ジョブ生成モジュール１２０と接続されている。ＵＩ制御モジュール１１０は、画像処理モジュール１００におけるユーザーインタフェースの制御を行う。
受付モジュール１１２は、印刷される媒体の色を隠蔽するための指定を受け付ける。この指定は、ユーザーの操作による指示である。ユーザーの操作として、例えば、マウス、キーボード、タッチパネル、音声、視線、ジェスチャ等を用いたものがある。
受付モジュール１１２が受け付ける指定は、追刷印刷で用いられる色の色材の出力割合、又は、媒体の色を隠蔽する率を示す隠蔽率の指定であってもよい。具体的には、図７の例を用いて後述する画面７００のトナー総出力数値指定欄７１５、隠蔽率数値指定欄７２５への入力が該当する。
また、受付モジュール１１２は、出力割合として、１００％より大の値が指定できるようにしてもよい。一般的には、１００％以下の値しか指定できないが、追刷印刷であるため、１００％より大の値が指定できるようにしている。また、１００％未満の値が指定できないようにしてもよい。
また、受付モジュール１１２は、隠蔽率として、１００％以下の値に限定するようにしてもよい。
また、受付モジュール１１２は、追刷印刷の指定等を受け付けてもよい。例えば、図７に示す画面７００では、追刷印刷の指定として、下塗印刷が指定され（下塗チェック欄７０５）、かつ、総出力又は隠蔽率として指定された値が複数回の追刷印刷が必要となる場合が該当する。
【００３５】
表示モジュール１１４は、印刷される媒体の色を隠蔽するための指定を受け付けるための表示を行う。例えば、出力割合、又は、隠蔽率を指定できる表示を行う。具体的には、図７の例を用いて後述する画面７００を表示する。
また、表示モジュール１１４は、印刷ジョブ生成モジュール１２０によって生成された印刷ジョブを、ユーザーによって選択可能に表示するようにしてもよい。
そして、表示モジュール１１４は、印刷ジョブ生成モジュール１２０によって生成（そして命名）された印刷ジョブの名称を表示するようにしてもよい。
また、表示モジュール１１４は、追刷印刷を行う回数を表示してもよいし、追刷印刷において媒体を給紙手段にセットすること等を促す表示を行ってもよい。
【００３６】
印刷ジョブ生成モジュール１２０は、ＵＩ制御モジュール１１０、印刷制御モジュール１３０と接続されている。印刷ジョブ生成モジュール１２０は、受付モジュール１１２が受け付けた指定を用いて、複数回同じ色を印刷する追刷印刷用の印刷ジョブを生成する。
また、印刷ジョブ生成モジュール１２０は、出力割合から追刷印刷の回数と各追刷印刷の出力割合を決定するようにしてもよい。具体的には、追刷印刷の回数は、出力割合を１００で除算し、除算結果の小数点以下を切り上げすればよい。各追刷印刷の印刷割合は、１回分の追刷印刷の出力割合を剰余とし、他の追刷印刷の出力割合を１００とすればよい。例えば、最終回以外の追刷印刷の出力割合を１００として、最終回の追刷印刷の出力割合を剰余とすればよい。具体的には、図９の例に示すフローチャート内のステップＳ９１０等の処理が該当する。
また、印刷ジョブ生成モジュール１２０は、隠蔽率とその隠蔽率を達成するための出力割合を対応させて記憶している記憶手段（具体的には、後述する図８に例示する隠蔽率・トナー総出力プロファイルテーブル８００）を用いて、指定の隠蔽率から出力割合を抽出し、抽出したその出力割合から追刷印刷の回数と各追刷印刷の出力割合を決定するようにしてもよい。
また、印刷ジョブ生成モジュール１２０は、印刷ジョブの名称として、追刷印刷であり、その回数がわかるような名称を付与するようにしてもよい。
【００３７】
印刷制御モジュール１３０は、印刷ジョブ生成モジュール１２０、印刷実行モジュール１４０と接続されている。印刷制御モジュール１３０は、印刷ジョブ生成モジュール１２０によって生成された印刷ジョブにしたがって、印刷実行モジュール１４０による印刷処理を制御する。
また、印刷制御モジュール１３０は、２回目以降の追刷印刷の場合、選択された印刷ジョブにしたがって、印刷処理を制御するようにしてもよい。
印刷実行モジュール１４０は、印刷制御モジュール１３０と接続されている。印刷実行モジュール１４０は、いわゆるプリンタとしての機能を有し、印刷処理を実行する。つまり、印刷制御モジュール１３０による制御にしたがって、媒体に印刷データを印刷する。
【００３８】
図２は、本実施の形態を利用したシステム構成例を示す説明図である。
画像形成装置２００は、画像処理モジュール１００、タッチパネル２０５、給紙モジュール２１０、排紙モジュール２１５を有している。画像形成装置２００が、画像処理モジュール１００の機能を有している例を示すものである。画像形成装置２００は、プリンタ、複写機、ファックス、複合機（少なくともプリンタの機能を有して、スキャナ、複写機、ファックス等のいずれか１つ以上の機能を有している画像処理装置）等の機能を有する。
画像処理モジュール１００は、タッチパネル２０５、給紙モジュール２１０、排紙モジュール２１５と接続されている。
【００３９】
タッチパネル２０５は、画像処理モジュール１００と接続されている。タッチパネル２０５は、ユーザーの操作を受け付け、その受け付けた操作を画像処理モジュール１００の受付モジュール１１２に渡す。また、画像処理モジュール１００の表示モジュール１１４の制御にしたがって、追刷印刷において媒体を給紙手段にセットすることを示す説明用画像の表示を行う。この説明用画像は、いわゆる媒体セットのガイドを行うことになる。
給紙モジュール２１０は、画像処理モジュール１００と接続されている。給紙モジュール２１０は、画像処理モジュール１００の印刷実行モジュール１４０による制御にしたがって、媒体を印刷実行モジュール１４０に供給する。２回目以降の追刷印刷の場合にあっては、ユーザーによって媒体（追刷印刷が１回以上行われた媒体）がセットされる。
排紙モジュール２１５は、画像処理モジュール１００と接続されている。排紙モジュール２１５は、画像処理モジュール１００の印刷実行モジュール１４０によって印刷が行われた媒体を排出する。２回目以降の追刷印刷の場合のために、ユーザーによって、排紙モジュール２１５によって排出された媒体（追刷印刷が１回以上行われた媒体）が、給紙モジュール２１０にセットされる。なお、このセットにあたって、ユーザーは、タッチパネル２０５上に表示された説明用画像を参考にする。
なお、図２の例では、画像処理モジュール１００の印刷実行モジュール１４０、給紙モジュール２１０、排紙モジュール２１５を、それぞれ別個のモジュールとしたが、画像処理モジュール１００の印刷実行モジュール１４０が、給紙モジュール２１０、排紙モジュール２１５を含んでいてもよい。
【００４０】
本実施の形態では、「特殊トナーを使用した下塗りを行う」指示を含む１つの印刷ジョブが、例えば、画像処理モジュール１００を含むプリンタコントローラ（ＤＦＥ：Ｄｉｇｉｔａｌ  Ｆｒｏｎｔ  Ｅｎｄ）によって複数の印刷ジョブに分割されることとなる。
【００４１】
図３は、下塗り印刷の例を示す説明図である。
有色の媒体に対して印刷を行う際に、白色のトナーで下塗りをした後にＣＭＹＫ（シアン、マゼンタ、イエロー、黒）トナーで画像を印刷することにより、媒体色の影響を減少（排除を含む）させることができる。
この手法を用いた、白トナーとＣＭＹＫトナーを搭載し、１回の印刷で白トナーの下塗りとＣＭＹＫ画像の印刷が可能な画像形成装置２００が存在する。
図３に示す具体例を用いて説明する。
媒体３００は有色（白以外の色）であり、図３の例では黒色である。媒体３００上に印刷されるＣＭＹＫ画像３２０は、ＣＭＹＫ画像（背景）３２２とＣＭＹＫ画像（数字の３）３２４によって構成されており、ＣＭＹＫ画像（背景）３２２は黄色であり、ＣＭＹＫ画像（数字の３）３２４は紺色である。白色の下塗り３１０を行った上で、ＣＭＹＫ画像（背景）３２２、ＣＭＹＫ画像（数字の３）３２４を印刷している。その結果、印刷結果を示している図３（ｂ）においても、ＣＭＹＫ画像（数字の３）３２４は紺色のままであり、ＣＭＹＫ画像（背景）３２２は黄色のままである。つまり、媒体３００の色（黒色）の影響を減少させ、印刷画像であるＣＭＹＫ画像（数字の３）３２４、ＣＭＹＫ画像（背景）３２２を再現できている。なお、下塗り３１０がなかった場合は、図３（ｂ）におけるＣＭＹＫ画像（数字の３）３２４、ＣＭＹＫ画像（背景）３２２は、それぞれ黒みがかった紺色、黄色になってしまう。
【００４２】
下塗り３１０のように白トナーを媒体色の隠蔽目的で使用する場合、媒体色の色味によって、完全に印刷媒体色の影響を排除する（隠蔽率１００％にする）のに必要な白トナーの量が変化する。
特に、媒体色の色味が濃い場合には白トナーの出力量を１００％に設定していても、１回の印刷で隠蔽率１００％にするのが困難なケースがあり、白トナーのみの印刷を繰り返して隠蔽率１００％にした後にＣＭＹＫ画像を印刷する追刷印刷という運用がある。この場合、白トナーの下塗りを１００％以上に指定したのと同等の白トナーの出力量になる。
本実施の形態では、下塗りによる媒体色の隠蔽を容易に設定可能にしている。
なお、隠蔽率１００％は、物理的な意味での媒体色の影響を排除することであってもよいが、人間の目で見て、印刷画像（図３（ｂ）の例では、ＣＭＹＫ画像（背景）３２２、ＣＭＹＫ画像（数字の３）３２４）の色が媒体の色（図３（ｂ）の例では、媒体３００の黒色）からの影響を受けていないと感じる程度であればよい。
【００４３】
追刷印刷について、印刷面におけるＣＭＹＫトナー、白トナーの層を用いて説明する。図４は、追刷印刷の例を示す説明図である。
色付きの媒体（有色メディア、例えば、黒紙等）に対する印刷を行う場合に、下地に白色トナーを印刷し、その上にＣＭＹＫ（シアン、マゼンタ、イエロー、黒）トナーで印刷することにより、ＣＭＹＫ色に対してのメディアの色の影響を減少させて表現することができる。そのため、ＣＭＹＫ以外に白色のトナーやメタリック色（例えば、銀色等）のトナー（特殊トナー、特色トナーともいわれる）を搭載し、１回のプリント動作で下地の白及びＣＭＹＫの印刷を行うプリンタが存在する。つまり、１回のプリント動作で５色分のトナーを用いた印刷が行われる。なお、本実施の形態の説明では、特殊トナーとして白色のトナーを例示して説明するが、メタリック色のトナーであってもよい。
図４の例を用いて説明する。
例えば、図４（ａ）に示すように、用紙４２５上に、黒トナー４１５、イエロートナー４１０、マゼンタトナー４０５、シアントナー４００を印刷した場合、用紙４２５が白色の場合に比べて、有色であると、印刷物として全体にその用紙４２５の色合いになってしまう。つまり、色付きの用紙４２５に印刷を行った場合、黒トナー４１５、イエロートナー４１０、マゼンタトナー４０５、シアントナー４００で表現される印刷の色味が本来の色味とは異なったものになってしまう。
そこで、例えば、図４（ｂ）に示すように、用紙４２５に対して、まず白トナー４２０を印刷し、その上に黒トナー４１５、イエロートナー４１０、マゼンタトナー４０５、シアントナー４００を印刷することが行われている。なお、白トナー４２０は、黒トナー４１５、イエロートナー４１０、マゼンタトナー４０５、シアントナー４００が印刷される領域全てに印刷する。もちろんのことながら、黒トナー４１５、イエロートナー４１０、マゼンタトナー４０５、シアントナー４００が印刷されない領域には、白トナー４２０を印刷せず、用紙４２５が背景となる。つまり、白トナー４２０が印刷の下地になる。このように、白トナー４２０を下に印刷することにより、用紙４２５の色による印刷の色味への影響を軽減させることができる。
【００４４】
しかしながら、用紙４２５の色が濃い場合（例えば、黒色等）には、１回のプリント動作で印字した白トナー４２０の量では、完全に用紙４２５の色の影響を受けなくすることは困難なケースがあり、そのため白トナー４２０のみの印刷を複数回繰り返した後に黒トナー４１５、イエロートナー４１０、マゼンタトナー４０５、シアントナー４００を印刷する追刷印刷という運用がある。
例えば、図４（ｃ１）に示すように、１回目の印刷では、用紙４２５上に白トナー４２０ａだけの印刷を行う。次に、ユーザーは、印刷された用紙４２５（排紙モジュール２１５によって排出された用紙４２５）を給紙モジュール２１０に戻し、２回目の印刷を指示する。これによって、図４（ｃ２）の例に示すように、白トナー４２０ｂがさらに印刷され、結果的に用紙４２５上に白トナー４２０ａ、白トナー４２０ｂが印刷されることになる。そして、Ｎ回目の印刷において、図４（ｂ）の例に示した印刷と同様の印刷を行う。これによって、用紙４２５の色の影響を減少させて、有色の用紙４２５上でも本来の印刷の色味を表現することができるようになる。
なお、本実施の形態は、追刷印刷を行う回数（図４の例では「Ｎ」回）を算出する。
【００４５】
図５は、追刷印刷の例を示す説明図である。
印刷するデータは、図５（ｃ）の例に示すように出力データ（ＣＭＹＫ版）５２０とする。この出力データ（ＣＭＹＫ版）５２０の左側にはカラーの写真画像、右側の文字画像「Ａ」は赤、文字画像「Ｂ」は青、文字画像「Ｃ」は緑である。これを黒色の用紙５１０に印刷する。そのために、出力データ（ＣＭＹＫ版）５２０から追刷印刷用の出力データ（特殊トナー版）５０５を生成する。なお、ここで特殊トナーは白色トナーとし、図５（ａ）の例に示す出力データ（特殊トナー版）５０５上では、白色トナーの輪郭部分を黒色で示している。つまり、図５（ａ）の例に示す出力データ（特殊トナー版）５０５は、出力データ（ＣＭＹＫ版）５２０で印刷する領域（具体的には、左側の写真画像領域と右側の３文字「ＡＢＣ」の文字画像領域）を白とする印刷データである。なお、出力データ（ＣＭＹＫ版）５２０内には、出力データ（特殊トナー版）５０５が含まれていてもよい。つまり、Ｎ回目の追刷印刷において白色データの上にＣＭＹＫデータがあってもよい（１回の印刷で、白色トナー、ＣＭＹＫトナーの印刷が行われる）。
【００４６】
図５（ａ）の例に示すように、出力データ（特殊トナー版）５０５を用紙５１０ａに印刷すると、出力物５１５ａを得る。出力物５１５ａでは、１回目の白色トナーによる印刷であるので、左側の写真画像領域と右側の３文字「ＡＢＣ」の文字画像領域は黒色に近い灰色のように見える。
そして、ユーザーは、出力物５１５ａを給紙モジュール２１０にセットして、２回目の追刷印刷の指定を行う。その結果、図５（ｂ）の例に示すように、出力データ（特殊トナー版）５０５を用紙５１０ｂ（図５（ａ）の例に示す出力物５１５ａ）に印刷することになり、出力物５１５ｂを得る。出力物５１５ｂでは、同じ箇所に対しての２回目の白色トナーによる印刷であるので、左側の写真画像領域と右側の３文字「ＡＢＣ」の文字画像領域は、図５（ａ）の例に示す出力物５１５ａ内のものよりは白く見える。ただし、未だ灰色のように見えている。
この追刷印刷の処理を繰り返し、Ｎ回目（最後）の追刷印刷では、図５（ｃ）の例に示すように、出力データ（ＣＭＹＫ版）５２０を用紙５１０ｎ（Ｎ−１回の追刷り印刷が行われた出力物５１５）に印刷することになり、出力物５１５ｎを得る。なお、用紙５１０ｎでは、用紙５１０ａの黒色の影響がなくなる程度に、左側の写真画像領域、右側の文字画像の領域が特殊トナー（白色トナー）で重ね塗りされている。そして、出力物５１５ｎでは、左側の写真画像領域、右側の３文字「ＡＢＣ」の文字画像領域（文字画像「Ａ」は赤、文字画像「Ｂ」は青、文字画像「Ｃ」は緑）の部分が、白色の媒体上に印刷されたかのように再現されている。
なお、追刷印刷の運用では、一度印刷した印刷物の１ページ目を上にして給紙モジュール２１０にセットしなおして、同じ方向で印字しなければならない。
【００４７】
図６は、第１の実施の形態による処理例を示すフローチャートである。
ステップＳ６０２では、受付モジュール１１２は、印刷指示を受け付ける。
ステップＳ６０４では、追い刷り印刷であるか否かを判断し、追い刷り印刷の場合はステップＳ６０６へ進み、それ以外（一般印刷）の場合はステップＳ６０８へ進む。
ステップＳ６０６では、印刷実行モジュール１４０は、追い刷り印刷処理を行う。ステップＳ６０６の詳細な処理については、図９又は図１０の例に示すフローチャートを用いて後述する。
ステップＳ６０８では、印刷実行モジュール１４０は、一般の印刷処理を行う。ここでの一般の印刷処理とは、印刷された媒体（出力物）を給紙モジュール２１０にセットして、さらに印刷することがない印刷である。
【００４８】
図７は、画面の表示例を示す説明図である。
表示モジュール１１４は、タッチパネル２０５の画面７００に、下塗チェック欄７０５、トナー総出力選択欄７１０、トナー総出力数値指定欄７１５、隠蔽率選択欄７２０、隠蔽率数値指定欄７２５を表示する。画面７００は、１００％以上の白トナー出力が設定できる画面である。具体的には、画面７００は、（１）下塗りするか否かの設定（下塗チェック欄７０５）、（２）トナーの総出力指定／隠蔽率指定の選択（トナー総出力選択欄７１０、隠蔽率選択欄７２０）、（３）トナーの総出力指定時において、トナーの総出力を入力する欄（トナー総出力数値指定欄７１５）、（４）隠蔽率指定時において、隠蔽率を入力する欄（隠蔽率数値指定欄７２５）によって構成されている。
ユーザーの操作によって、下塗チェック欄７０５にチェックが行われた場合、トナー総出力選択欄７１０、隠蔽率選択欄７２０が選択可能になる。トナー総出力選択欄７１０が選択された場合、トナー総出力数値指定欄７１５に対する入力が可能になる。トナー総出力数値指定欄７１５には、１００％より大きい値が入力可能である。なお、追刷印刷以外の印刷（１回だけの印刷を行う一般印刷）では、１００％以下の値しか入力できないように制限されている。しかし、このトナー総出力数値指定欄７１５では、同じ白色トナーでの複数回の印刷を行うことから１００％より大きい値を受け付け可能としている。また、隠蔽率選択欄７２０が選択された場合、隠蔽率数値指定欄７２５に対する入力が可能になる。隠蔽率数値指定欄７２５には、１００％以下の値を入力可能に制限している。
【００４９】
図８は、隠蔽率・トナー総出力プロファイルテーブル８００のデータ構造例を示す説明図である。隠蔽率・トナー総出力プロファイルテーブル８００は、隠蔽率に対する白トナー出力量のプロファイルであって、隠蔽率を指定された場合に、対象の媒体色の隠蔽率に必要な白トナー出力量を決定する機能を有している。
隠蔽率・トナー総出力プロファイルテーブル８００は、用紙欄８１０、隠蔽率（％）欄８２０、トナー総出力（％）欄８３０を有している。用紙欄８１０は、用紙の種類を記憶している。用紙の種類として、例えば、用紙の色を示すものであってもよいし、用紙の材質、サイズ等を含めて示すものであってもよい。隠蔽率（％）欄８２０は、隠蔽率（％）を記憶している。トナー総出力（％）欄８３０は、その用紙において、その隠蔽率に達成するためのトナー総出力（％）を記憶している。
例えば、隠蔽率・トナー総出力プロファイルテーブル８００の１行目は、用紙：Ａは、隠蔽率を１００％とする場合、トナー総出力を１８０％としなければならないことを示している。
【００５０】
図９は、本実施の形態による処理例を示すフローチャートである。追刷印刷において、順次印刷を行う場合の処理例を示すものである。
ステップＳ９０２では、ユーザーの操作として、（１）下塗りを選択、（２）トナーの総出力指定／隠蔽率指定の選択、（３）下塗りトナーの総出力／隠蔽率の入力、が行われる。
ステップＳ９０４では、下塗りトナーの総出力指定が選択されたか否かを判断し、選択された場合はステップＳ９０８へ進み、それ以外の場合（隠蔽率指定が選択された場合）はステップＳ９０６へ進む。
【００５１】
ステップＳ９０６では、使用する用紙の入力された隠蔽率の下塗りトナー総出力をプロファイル（隠蔽率・トナー総出力プロファイルテーブル８００）から得る。
ステップＳ９０８では、下塗りトナー総出力が１００％以上であるか否かを判断し、１００％以上の場合はステップＳ９１０へ進み、それ以外の場合（１回の印刷で済む場合）はステップＳ９２８へ進む。
【００５２】
ステップＳ９１０では、下塗りトナー出力１００％ごとに印刷ジョブを分割する（下塗りのみの印刷ジョブ）。余った１００％以下の下塗りトナー出力をＣＭＹＫ画像と同じ印刷ジョブ内に含む（下塗り＋ＣＭＹＫ画像の印刷ジョブ）。下刷りのみの印刷ジョブから番号を付ける（１〜ｎ、最終回であるｎ番の印刷ジョブが下塗り＋ＣＭＹＫ画像の印刷ジョブになる）。
ステップＳ９１２では、１番の印刷ジョブにしたがって印刷する。
【００５３】
ステップＳ９１４では、変数ｉに２をセットし、ｉ≦ｎの条件を満たす場合は、ステップＳ９２６までの処理を繰り返す。ステップＳ９２６までの処理が終了した際に、変数ｉをインクリメント（変数ｉに１加算）する。
ステップＳ９１６では、用紙のセットを求めるメッセージダイアログを表示する。つまり、表示モジュール１１４が、前回の印刷処理（ステップＳ９１２又はステップＳ９２４）で印刷された用紙を、次回の印刷処理のために給紙モジュール２１０にセットすることを促す表示を行う。
【００５４】
ステップＳ９１８では、ユーザーが用紙をセットする。
ステップＳ９２０では、ｉ番の印刷ジョブの印刷指示を求めるメッセージダイアログを表示する。つまり、表示モジュール１１４が、印刷指示を促す表示を行う。
【００５５】
ステップＳ９２２では、ユーザーが印刷指示を行う。
ステップＳ９２４では、ｉ番の印刷ジョブにしたがって印刷する。
【００５６】
ステップＳ９２６では、ステップＳ９１４に戻る。
ステップＳ９２８では、下塗り＋ＣＭＹＫ画像の印刷ジョブにしたがって印刷する。つまり、追刷印刷ではなく、１回の一般印刷を行う。具体的には、図４（ｂ）の例に示す印刷である。
【００５７】
図１０は、第１の実施の形態による処理例を示すフローチャートである。追刷印刷において、保留された印刷ジョブをユーザーに選択させる処理例を示すものである。
ステップＳ１００２では、ユーザーの操作として、（１）下塗りを選択、（２）トナーの総出力指定／隠蔽率指定の選択、（３）下塗りトナーの総出力／隠蔽率の入力、が行われる。
ステップＳ１００４では、下塗りトナーの総出力指定が選択されたか否かを判断し、選択された場合はステップＳ１００８へ進み、それ以外の場合（隠蔽率指定が選択された場合）はステップＳ１００６へ進む。
【００５８】
ステップＳ１００６では、使用する用紙の入力された隠蔽率の下塗りトナー総出力をプロファイル（隠蔽率・トナー総出力プロファイルテーブル８００）から得る。
ステップＳ１００８では、下塗りトナー総出力が１００％以上であるか否かを判断し、１００％以上の場合はステップＳ１０１０へ進み、それ以外の場合（１回の印刷で済む場合）はステップＳ１０２２へ進む。
【００５９】
ステップＳ１０１０では、下塗りトナー出力１００％ごとに印刷ジョブを分割する（下塗りのみの印刷ジョブ）。余った１００％以下の下塗りトナー出力をＣＭＹＫ画像と同じ印刷ジョブ内に含む（下塗り＋ＣＭＹＫ画像の印刷ジョブ）。下刷りのみの印刷ジョブから番号を付ける（１〜ｎ、最終回であるｎ番の印刷ジョブが下塗り＋ＣＭＹＫ画像の印刷ジョブになる）。
ステップＳ１０１２では、１番の印刷ジョブにしたがって印刷する。それ以外の印刷ジョブを保留印刷ジョブのリストに入れる。「保留印刷ジョブのリスト」の具体例として、後述する図１４の例に示す保留印刷ジョブリスト１４５０がある。
【００６０】
ステップＳ１０１４では、保留ジョブのリストに分割された印刷ジョブが存在するか否かを判断し、存在する場合はステップＳ１０１６へ進み、それ以外の場合は処理を終了する（ステップＳ１０９９）。
ステップＳ１０１６では、用紙をセットする。
【００６１】
ステップＳ１０１８では、保留印刷ジョブのリストにある分割印刷ジョブのうち、次に実行すべき印刷ジョブの印刷指示を出す。「次に実行すべき印刷ジョブ」として、例えば、印刷ジョブ名で最も数字の小さい印刷ジョブとしてもよい。
ステップＳ１０２０では、印刷ジョブにしたがって印刷し、ステップＳ１０１４へ戻る。
ステップＳ１０２２では、下塗り＋ＣＭＹＫ画像の印刷ジョブにしたがって印刷する。つまり、追刷印刷ではなく、１回の一般印刷を行う。具体的には、図４（ｂ）の例に示す印刷である。
【００６２】
図１１は、第１の実施の形態による処理例を示す説明図である。下塗りの白色トナーの総出力量を１８０％で指定された場合（ステップＳ９０４、ステップＳ１００４でＹｅｓの場合）の処理例を示すものである。
Ｓｔｅｐ１１０２では、ユーザーの操作によって、図１１（ａ）の例に示す画面７００で以下を設定する。
・下塗りを選択
・トナーの総出力指定を選択
・トナーの総出力を１８０（％）に設定する
Ｓｔｅｐ１１０４では、ユーザーからの印刷指示を受け付ける。
【００６３】
Ｓｔｅｐ１１０６では、印刷ジョブを分割する。例えば、分割ジョブテーブル１１００を生成する。図１１（ｂ）は、分割ジョブテーブル１１００のデータ構造例を示す説明図である。分割ジョブテーブル１１００は、元印刷ジョブ欄１１１０、分割印刷ジョブ欄１１２０、印刷ジョブ内容欄１１３０を有している。元印刷ジョブ欄１１１０は、元印刷ジョブの識別子であるＩＤ（ＩＤｅｎｔｉｆｉｃａｔｉｏｎ）を記憶している。分割印刷ジョブ欄１１２０は、その元印刷ジョブから生成された分割印刷ジョブのＩＤを記憶している。印刷ジョブ内容欄１１３０は、その分割印刷ジョブの内容を記憶している。図１１の例では、２回の追刷印刷であり、１回目は、白トナー１００％の下塗りの印刷であり、２回目は、白トナー８０％の下塗りとＣＭＹＫトナーによる印刷を行う。
【００６４】
Ｓｔｅｐ１１０８では、印刷を実行する。図１１（ｃ１）では、印刷ジョブ「Ｊｏｂ１＿１」にしたがって１回目の追刷印刷が行われ、図１１（ｃ２）では、印刷ジョブ「Ｊｏｂ１＿２」にしたがって２回目の追刷印刷が行われ、図１１（ｃ３）に示すように印刷結果である媒体３００が排出される。なお、１回目の追刷印刷が行われた結果（図１１（ｃ２）での媒体３００）を、ユーザーは給紙モジュール２１０にセットした後に、２回目の追刷印刷が行われている。
【００６５】
図１２は、第１の実施の形態による処理例を示す説明図である。下塗りによる隠蔽率が１００％で指定された場合（ステップＳ９０４、ステップＳ１００４でＮｏの場合）の処理例を示すものである。
Ｓｔｅｐ１２０２では、ユーザーの操作によって、図１２（ａ）の例に示す画面７００で以下を設定する。
・下塗りを選択
・隠蔽率指定を選択
・隠蔽率を１００（％）に設定する
Ｓｔｅｐ１２０４では、ユーザーからの印刷指示を受け付ける。
【００６６】
Ｓｔｅｐ１２０６では、使用する用紙の指定した隠蔽率のトナー総出力をプロファイルから得る。図８の例に示す隠蔽率・トナー総出力プロファイルテーブル８００を用いて、隠蔽率１００（％）に対応するトナー総出力１８０％を抽出する。図１２（ｂ）の例に示す変換結果情報１２００は、変換前情報１２１０、変換後情報１２２０で構成される。変換前は「用紙Ａの隠蔽率１００％」が、変換後は「トナー総出力１８０％」となったことを示している。
【００６７】
Ｓｔｅｐ１２０８では、印刷ジョブを分割する。例えば、分割ジョブテーブル１１００を生成する。図１２（ｃ）は、分割ジョブテーブル１１００のデータ構造例を示す説明図であり、図１１（ｂ）の例に示した分割ジョブテーブル１１００のデータ構造と同じである。
Ｓｔｅｐ１２１０では、印刷を実行する。図１１（ｃ１）〜（ｃ３）で示した例と同じ印刷処理を行う。
【００６８】
図１３は、第１の実施の形態による処理例を示す説明図である。図９の例に示したフローチャートにしたがって、分割された印刷ジョブをダイアログ表示して順次印刷する場合の具体的処理例を示すものである。
【００６９】
Ｓｔｅｐ１３０２では、図１３（ａ）の例に示す分割ジョブテーブル１１００のように、印刷ジョブを分割する。ステップＳ９１０に該当する処理である。
【００７０】
Ｓｔｅｐ１３０４では、図１３（ｂ１）の例に示すように、印刷ジョブ「Ｊｏｂ１＿１」にしたがって印刷する。ステップＳ９１２に該当する処理である。
Ｓｔｅｐ１３０６では、印刷を停止し、ダイアログを表示する。ステップＳ９１６、ステップＳ９２２に該当する処理である。具体的には、図１３（ｂ２）の例に示すように、画面１３５０に「Ｊｏｂ１＿１の印刷が完了しました。用紙をセットしてください。」と表示し、また、ＯＫボタン１３５５を表示する。ステップＳ９１６に該当する処理である。このメッセージにしたがって、ユーザーは印刷された用紙を給紙モジュール２１０にセットする。ステップＳ９１８に該当する処理である。ＯＫボタン１３５５が押下される。そして、図１３（ｂ３）の例に示すように、画面１３６０に「Ｊｏｂ１＿２を印刷しますか？」と表示し、また、印刷ボタン１３６５を表示する。ステップＳ９２０に該当する処理である。ステップＳ９２２に該当する処理である印刷ボタン１３６５が押下された場合、Ｓｔｅｐ１３０８に移る。
【００７１】
Ｓｔｅｐ１３０８では、図１３（ｃ）の例に示すように、印刷ジョブ「Ｊｏｂ１＿２」にしたがって２回目の印刷をする。そして、図１３（ｄ）の例に示す印刷結果である媒体３００を得る。
【００７２】
図１４は、第１の実施の形態による処理例を示す説明図である。図１０の例に示したフローチャートにしたがって、分割された印刷ジョブが保留の印刷ジョブになり、保留ジョブ一覧から印刷ジョブを選択して印刷指示を出す場合の具体的処理例を示すものである。
【００７３】
Ｓｔｅｐ１４０２では、図１４（ａ）の例に示す分割ジョブテーブル１１００のように、印刷ジョブを分割する。ステップＳ１０１０に該当する処理である。
【００７４】
Ｓｔｅｐ１４０４では、図１４（ｂ１）の例に示すように、印刷ジョブ「Ｊｏｂ１＿１」にしたがって印刷し、印刷ジョブ「Ｊｏｂ１＿２」を図１４（ｂ２）の例に示す保留印刷ジョブリスト１４５０に入れる。図１４（ｂ２）は、保留印刷ジョブリスト１４５０のデータ構造例を示す説明図である。保留印刷ジョブリスト１４５０は、ＩＤ欄１４５５、印刷ジョブ名欄１４５６を有している。ＩＤ欄１４５５は、本実施の形態において、保留されている印刷ジョブを一意に識別するための情報（ＩＤ）を記憶している。印刷ジョブ名欄１４５６は、その印刷ジョブの名称を記憶している。
【００７５】
Ｓｔｅｐ１４０６では、表示モジュール１１４は、保留印刷ジョブリスト１４５０の内容を表示し、ユーザーによって保留印刷ジョブリスト１４５０から印刷ジョブ「Ｊｏｂ１＿２」が選択され、印刷指示を受け付ける。なお、保留印刷ジョブリスト１４５０の内容を表示する場合に、追刷印刷用の印刷ジョブは、他の印刷ジョブとは異なる形態で表示するようにしてもよい。例えば、追刷印刷用の印刷ジョブを赤く表示してもよいし、点滅させて表示してもよい。また、印刷ジョブの名称によって次に選択すべき印刷ジョブがユーザーにわかるようになっている。具体的には、印刷ジョブの名称の後半部分にある番号（「１＿２」）から、追刷印刷１の２回目の印刷ジョブであることがわかる。もちろんのことながら、よりユーザーにわかりやすい表示を行うようにしてもよい。例えば、印刷ジョブの名称として「追刷印刷」を用い、回数についても「２回目」等の表示にしてもよい。さらに、分割ジョブテーブル１１００内の印刷ジョブ内容欄の内容を付加して表示してもよい。
Ｓｔｅｐ１４０８では、図１４（ｃ）の例に示すように、選択された印刷ジョブ「Ｊｏｂ１＿２」にしたがって２回目の印刷をする。そして、図１４（ｄ）の例に示す印刷結果である媒体３００を得る。
【００７６】
＜第２の実施の形態＞
図１５は、第２の実施の形態の構成例についての概念的なモジュール構成図である。
画像処理モジュール１５００は、ＵＩ制御モジュール１１０、印刷ジョブ生成モジュール１５２０、印刷制御モジュール１３０、印刷実行モジュール１４０を有している。なお、第２の実施の形態は、第１の実施の形態に対して、トナーの総量規制に関する処理を付加したものである。したがって、第２の実施の形態は、第１の実施の形態を含んでいる。第１の実施の形態と同種の部位には同一符号を付し重複した説明を省略する。
【００７７】
下塗りのように白トナーを印刷媒体色の隠蔽目的で使用する場合、白トナーの出力を１００％にしたとしても、ＣＭＹＫ画像の色味によってＣＭＹＫのトナー総量が変化し、トナーの総量規制の影響で白トナーが１００％で出力されないケースがある。例えば、ＣＭＹＫ画像の色味が濃い部分ではＣＭＹＫトナー総量が大きくなり、白トナーの出力量が減ることがある。例えば、ある画素において、予め定められた値（例えば、２６０％等）以上のトナー量になると、予め定められた値以下のトナー量になるように規制処理が行われる。また、追刷印刷においてトナーの総量規制が発生するのは、最後の印刷（下塗りとＣＭＹＫ画像の出力を行う印刷）の場合である。
前述の第１の実施の形態のように下塗りの白トナー出力がＣＭＹＫ画像の色味によらず均一な場合、ＣＭＹＫ画像の色味の影響で下塗りにムラができることが考えられる。
第２の実施の形態は、トナーの総量規制によって生じる、媒体色の隠蔽のための下塗りのムラを抑制するものである。
【００７８】
ＵＩ制御モジュール１１０は、受付モジュール１１２、表示モジュール１１４を有しており、印刷ジョブ生成モジュール１５２０と接続されている。
印刷ジョブ生成モジュール１５２０は、総量規制モジュール１５２５を有しており、ＵＩ制御モジュール１１０、印刷制御モジュール１３０と接続されている。印刷ジョブ生成モジュール１５２０は、画像処理モジュール１００の印刷ジョブ生成モジュール１２０の機能を有しており、総量規制モジュール１５２５による印刷するトナーの総量規制の処理を行う。
総量規制モジュール１５２５は、最後に印刷する印刷ジョブにおいて総量規制による判断を行う。
そして、総量規制モジュール１５２５は、最後に印刷する印刷ジョブにおいて、総量規制より多い又は以上となる画素がある場合は、その印刷ジョブを分割する。なお、全ての画素が総量規制以下又は未満となる場合は、その最後の印刷ジョブを分割しない。印刷の回数を増やさないためである。
また、印刷ジョブを分割する場合、総量規制モジュール１５２５は、その印刷ジョブを、下塗りの印刷ジョブと下塗り以外の印刷ジョブに分割するようにしてもよい。
具体的には、総量規制モジュール１５２５は、白トナーとＣＭＹＫトナーを合わせたトナー総量がトナー総量規制を超える画素がある場合、設定された白トナーの出力又は隠蔽率にするために必要な白トナー出力を後述するアルゴリズムによって印刷ジョブを分割する。これによって、白トナーとＣＭＹＫトナーを合わせたトナー総量が総量規制を超えた場合に、媒体色を目的の白トナー出力又は隠蔽度合いでムラなく下塗りをすることが可能になる。
【００７９】
印刷制御モジュール１３０は、印刷ジョブ生成モジュール１５２０、印刷実行モジュール１４０と接続されている。
印刷実行モジュール１４０は、印刷制御モジュール１３０と接続されている。
【００８０】
図１６は、第２の実施の形態による処理例を示すフローチャートである。追刷印刷において、順次印刷を行う場合の処理例を示すものである。なお、図９の例に示したフローチャートとは、ステップＳ１６１２〜Ｓ１６１６の処理が異なる。
ステップＳ１６０２では、ユーザーの操作として、（１）下塗りを選択、（２）トナーの総出力指定／隠蔽率指定の選択、（３）下塗りトナーの総出力／隠蔽率の入力、が行われる。
ステップＳ１６０４では、下塗りトナーの総出力指定が選択されたか否かを判断し、選択された場合はステップＳ１６０８へ進み、それ以外の場合（隠蔽率指定が選択された場合）はステップＳ１６０６へ進む。
【００８１】
ステップＳ１６０６では、使用する用紙の入力された隠蔽率の下塗りトナー総出力をプロファイル（隠蔽率・トナー総出力プロファイルテーブル８００）から得る。
ステップＳ１６０８では、下塗りトナー総出力が１００％以上であるか否かを判断し、１００％以上の場合はステップＳ１６１０へ進み、それ以外の場合（１回の印刷で済む場合）はステップＳ１６３４へ進む。
【００８２】
ステップＳ１６１０では、下塗りトナー出力１００％ごとに印刷ジョブを分割する（下塗りのみの印刷ジョブ）。余った１００％以下の下塗りトナー出力をＣＭＹＫ画像と同じ印刷ジョブ内に含む（下塗り＋ＣＭＹＫ画像の印刷ジョブ）。下刷りのみの印刷ジョブから番号を付ける（１〜ｎ、最終回であるｎ番の印刷ジョブが下塗り＋ＣＭＹＫ画像の印刷ジョブになる）。
ステップＳ１６１２では、下塗りトナーとＣＭＹＫトナーを合わせた印刷ジョブでトナー総量がトナー総量規制を超える画素があるか否かを判断し、ある場合はステップＳ１６１４へ進み、それ以外の場合はステップＳ１６１６へ進む。
【００８３】
ステップＳ１６１４では、下塗り＋ＣＭＹＫ画像の印刷ジョブをさらに分割し、下塗りのみの印刷ジョブとＣＭＹＫ画像の印刷ジョブにする。つまり、１つの印刷ジョブにおけるトナー総量がトナー総量規制を超えないように、印刷ジョブを分割する。具体的には、下塗りの白色トナーによる印刷をさらに増やすようにすればよい。
ステップＳ１６１６では、下刷りのみの印刷ジョブから番号を付ける（１〜ｎ、ｎ番の印刷ジョブが下塗り＋ＣＭＹＫ画像の印刷ジョブ又はＣＭＹＫ画像の印刷ジョブになる）。
【００８４】
ステップＳ１６１８では、１番の印刷ジョブにしたがって印刷する。
ステップＳ１６２０では、変数ｉに２をセットし、ｉ≦ｎの条件を満たす場合は、ステップＳ１６３２までの処理を繰り返す。ステップＳ１６３２までの処理が終了した際に、変数ｉをインクリメント（変数ｉに１加算）する。
【００８５】
ステップＳ１６２２では、用紙のセットを求めるメッセージダイアログを表示する。つまり、表示モジュール１１４が、前回の印刷処理（ステップＳ１６１８又はステップＳ１６３０）で印刷された用紙を、次回の印刷処理のために給紙モジュール２１０にセットすることを促す表示を行う。
ステップＳ１６２４では、ユーザーが用紙をセットする。
【００８６】
ステップＳ１６２６では、ｉ番の印刷ジョブの印刷指示を求めるメッセージダイアログを表示する。つまり、表示モジュール１１４が、印刷指示を促す表示を行う。
ステップＳ１６２８では、ユーザーが印刷指示を行う。
【００８７】
ステップＳ１６３０では、ｉ番の印刷ジョブにしたがって印刷する。
ステップＳ１６３２では、ステップＳ１６２０に戻る。
ステップＳ１６３４では、下塗り＋ＣＭＹＫ画像の印刷ジョブにしたがって印刷する。つまり、追刷印刷ではなく、１回の一般印刷を行う。具体的には、図４（ｂ）の例に示す印刷である。
【００８８】
図１７は、第２の実施の形態による処理例を示すフローチャートである。追刷印刷において、保留された印刷ジョブをユーザーに選択させる処理例を示すものである。なお、図１０の例に示したフローチャートとは、ステップＳ１７１２〜Ｓ１７１６の処理が異なる。
ステップＳ１７０２では、ユーザーの操作として、（１）下塗りを選択、（２）トナーの総出力指定／隠蔽率指定の選択、（３）下塗りトナーの総出力／隠蔽率の入力、が行われる。
ステップＳ１７０４では、下塗りトナーの総出力指定が選択されたか否かを判断し、選択された場合はステップＳ１７０８へ進み、それ以外の場合（隠蔽率指定が選択された場合）はステップＳ１７０６へ進む。
【００８９】
ステップＳ１７０６では、使用する用紙の入力された隠蔽率の下塗りトナー総出力をプロファイル（隠蔽率・トナー総出力プロファイルテーブル８００）から得る。
ステップＳ１７０８では、下塗りトナー総出力が１００％以上であるか否かを判断し、１００％以上の場合はステップＳ１７１０へ進み、それ以外の場合（１回の印刷で済む場合）はステップＳ１７２８へ進む。
【００９０】
ステップＳ１７１０では、下塗りトナー出力１００％ごとに印刷ジョブを分割する（下塗りのみの印刷ジョブ）。余った１００％以下の下塗りトナー出力をＣＭＹＫ画像と同じ印刷ジョブ内に含める（下塗り＋ＣＭＹＫ画像の印刷ジョブ）。下刷りのみの印刷ジョブから番号を付ける（１〜ｎ、最終回であるｎ番の印刷ジョブが下塗り＋ＣＭＹＫ画像の印刷ジョブになる）。
ステップＳ１７１２では、下塗りトナーとＣＭＹＫトナーを合わせた印刷ジョブでトナー総量がトナー総量規制を超える画素があるか否かを判断し、ある場合はステップＳ１７１４へ進み、それ以外の場合はステップＳ１７１６へ進む。
【００９１】
ステップＳ１７１４では、下塗り＋ＣＭＹＫ画像の印刷ジョブをさらに分割し、下塗りのみの印刷ジョブとＣＭＹＫ画像の印刷ジョブにする。つまり、１つの印刷ジョブにおけるトナー総量がトナー総量規制を超えないように、印刷ジョブを分割する。具体的には、下塗りの白色トナーによる印刷をさらに増やすようにすればよい。
ステップＳ１７１６では、下刷りのみの印刷ジョブから番号を付ける（１〜ｎ、ｎ番の印刷ジョブが下塗り＋ＣＭＹＫ画像の印刷ジョブになる）。
【００９２】
ステップＳ１７１８では、１番の印刷ジョブにしたがって印刷する。それ以外のジョブを保留印刷ジョブのリストに入れる。
ステップＳ１７２０では、保留印刷ジョブのリストに分割された印刷ジョブが存在するか否かを判断し、存在する場合はステップＳ１７２２へ進み、それ以外の場合は処理を終了する（ステップＳ１７９９）。
【００９３】
ステップＳ１７２２では、ユーザーが用紙をセットする。
ステップＳ１７２４では、保留印刷ジョブのリストにある分割印刷ジョブのうち、次の実行すべき印刷ジョブの印刷指示を出す。
【００９４】
ステップＳ１７２６では、印刷ジョブにしたがって印刷し、ステップＳ１７２０へ戻る。
ステップＳ１７２８では、下塗り＋ＣＭＹＫ画像の印刷ジョブにしたがって印刷する。つまり、追刷印刷ではなく、１回の一般印刷を行う。具体的には、図４（ｂ）の例に示す印刷である。
【００９５】
図１８は、第２の実施の形態による処理例を示す説明図である。下塗りの白色トナーの総出力量を１８０％で指定された場合（ステップＳ１６０４、ステップＳ１７０４でＹｅｓの場合）であって、下塗りのムラを補正する処理例を示すものである。
Ｓｔｅｐ１８０２では、ユーザーの操作によって、図１８（ａ）の例に示す画面７００で以下を設定する。
・下塗りを選択
・トナーの総出力指定を選択
・トナーの総出力を１８０（％）に設定する
Ｓｔｅｐ１８０４では、ユーザーからの印刷指示を受け付ける。
【００９６】
Ｓｔｅｐ１８０６では、印刷ジョブを分割する。例えば、分割ジョブテーブル１１００を生成する。図１８（ｂ）は、分割ジョブテーブル１１００のデータ構造例を示す説明図であり、図１１（ｂ）の例に示した分割ジョブテーブル１１００のデータ構造と同じである。
【００９７】
Ｓｔｅｐ１８０８では、下塗りトナー＋ＣＭＹＫ画像の印刷ジョブ（Ｊｏｂ１＿２、追刷印刷における最後の印刷ジョブ）の各画素において、ＣＭＹＫトナー総出力＋白トナー出力が総量規制を超えていないかを確認し、「ＣＭＹＫトナー総出力＋白トナー出力≦総量規制」ならば、Ｓｔｅｐ１８１０ａに進み、「ＣＭＹＫトナー総出力＋白トナー出力＞総量規制」ならば、さらに印刷ジョブを分割し、Ｓｔｅｐ１８１０ｂに進む。印刷ジョブを分割した結果として、図１８（ｃ）の例に示す分割ジョブテーブル１８００を生成する。分割ジョブテーブル１８００は、分割ジョブテーブル１１００の最後の行にある印刷ジョブ（印刷ジョブ「Ｊｏｂ１＿２」）を分割して、２つの行（印刷ジョブ「Ｊｏｂ１＿２」（下塗りトナー８０％）、印刷ジョブ「Ｊｏｂ１＿３」（ＣＭＹＫ画像））にしたものである。
【００９８】
Ｓｔｅｐ１８１０ａでは、印刷を実行する。つまり、図１８（ｄ１ａ）〜図１８（ｄ３ａ）の例に示すように、分割ジョブテーブル１１００（印刷ジョブ「Ｊｏｂ１＿１」、印刷ジョブ「Ｊｏｂ１＿２」）にしたがって２回の印刷を行う。具体的には、図１８（ｄ１ａ）の例に示すように、１回目の下塗り印刷（印刷ジョブ「Ｊｏｂ１＿１」：下塗り（白色）トナー１００％）を行う。そして、その印刷結果を給紙モジュール２１０にセットして、図１８（ｄ２ａ）の例に示すように、２回目の下塗り印刷と本印刷の組み合わせの印刷（印刷ジョブ「Ｊｏｂ１＿２」：下塗り（白色）トナー８０％＋ＣＭＹＫ画像）を行う。その結果、図１８（ｄ３ａ）の例に示すような印刷物を得る。
Ｓｔｅｐ１８１０ｂでは、印刷を実行する。つまり、図１８（ｄ１ｂ）〜図１８（ｄ４ｂ）の例に示すように、分割ジョブテーブル１８００（印刷ジョブ「Ｊｏｂ１＿１」、印刷ジョブ「Ｊｏｂ１＿２」、印刷ジョブ「Ｊｏｂ１＿３」）にしたがって３回の印刷を行う。具体的には、図１８（ｄ１ｂ）の例に示すように、１回目の下塗り印刷（印刷ジョブ「Ｊｏｂ１＿１」：下塗り（白色）トナー１００％）を行う。そして、その印刷結果を給紙モジュール２１０にセットして、図１８（ｄ２ｂ）の例に示すように、２回目の下塗り印刷（印刷ジョブ「Ｊｏｂ１＿２」：下塗り（白色）トナー８０％）を行う。そして、その印刷結果を給紙モジュール２１０にセットして、図１８（ｄ３ｂ）の例に示すように、３回目の本印刷（印刷ジョブ「Ｊｏｂ１＿３」：ＣＭＹＫ画像）を行う。その結果、図１８（ｄ４ｂ）の例に示すような印刷物を得る。この例では、図１８（ｄ２ａ）の例に示す印刷を、図１８（ｄ２ｂ）（ｄ３ｂ）の例に示す２回の印刷に分割している。
【００９９】
図１９は、第２の実施の形態による処理例を示す説明図である。下塗りによる隠蔽率が１００％で指定された場合（ステップＳ１６０４、ステップＳ１７０４でＮｏの場合）であって、下塗りのムラを補正する処理例を示すものである。
Ｓｔｅｐ１９０２では、ユーザーの操作によって、図１９（ａ）の例に示す画面７００で以下を設定する。
・下塗りを選択
・隠蔽率指定を選択
・隠蔽率を１００％に設定する
Ｓｔｅｐ１９０４では、ユーザーからの印刷指示を受け付ける。
【０１００】
Ｓｔｅｐ１９０６では、使用する用紙の隠蔽率１００％のトナー総出力量をプロファイルから得る。図８の例に示す隠蔽率・トナー総出力プロファイルテーブル８００を用いて、隠蔽率１００（％）に対応するトナー総出力１８０％を抽出する。図１９（ｂ）の例に示す変換結果情報１２００は、変換前情報１２１０、変換後情報１２２０で構成される。変換前は「用紙Ａの隠蔽率１００％」が、変換後は「トナー総出力１８０％」となったことを示している。
Ｓｔｅｐ１９０８では、印刷ジョブを分割する。例えば、分割ジョブテーブル１１００を生成する。図１９（ｃ）は、分割ジョブテーブル１１００のデータ構造例を示す説明図であり、図１１（ｂ）の例に示した分割ジョブテーブル１１００のデータ構造と同じである。
【０１０１】
Ｓｔｅｐ１９１０では、下塗りトナー＋ＣＭＹＫ画像の印刷ジョブ（Ｊｏｂ１＿２、追刷印刷における最後の印刷ジョブ）の各画素において、ＣＭＹＫトナー総出力＋白トナー出力が総量規制を超えていないかを確認し、「ＣＭＹＫトナー総出力＋白トナー出力≦総量規制」ならば、Ｓｔｅｐ１９１２ａに進み、「ＣＭＹＫトナー総出力＋白トナー出力＞総量規制」ならば、さらに印刷ジョブを分割し、Ｓｔｅｐ１９１２ｂに進む。
【０１０２】
Ｓｔｅｐ１９１２ａでは、印刷を実行する。つまり、図１９（e１ａ）〜図１９（e３ａ）の例に示すように、分割ジョブテーブル１１００（印刷ジョブ「Ｊｏｂ１＿１」、印刷ジョブ「Ｊｏｂ１＿２」）にしたがって２回の印刷を行う。前述した図１８（ｄ１ａ）〜図１８（ｄ３ａ）の例と同じである。
Ｓｔｅｐ１９１３ｂでは、印刷を実行する。つまり、図１９（e１ｂ）〜図１９（e４ｂ）の例に示すように、分割ジョブテーブル１８００（印刷ジョブ「Ｊｏｂ１＿１」、印刷ジョブ「Ｊｏｂ１＿２」、印刷ジョブ「Ｊｏｂ１＿３」）にしたがって３回の印刷を行う。前述した図１８（ｄ１ｂ）〜図１８（ｄ４ｂ）の例と同じである。つまり、この例では、図１９（ｅ２ａ）の例に示す印刷を、図１９（ｅ２ｂ）（ｅ３ｂ）の例に示す２回の印刷に分割している。
【０１０３】
＜第３の実施の形態＞
前述したように、本実施の形態では、「特殊トナーを使用した下塗りを行う」指示を含む１つの印刷ジョブが、画像処理モジュール１００（又は画像処理モジュール１５００）によって複数の印刷ジョブに分割されることとなる。
このとき、プリンタの操作者（ユーザー）は「特殊トナーを使用した下塗りを行う」旨を指示する作業指示書の内容が、どのように具体化されるのか、画像形成装置２００（前述のＤＦＥ、プリンタ等）の表示装置であるタッチパネル２０５を通じて知ることになる。換言すると、操作者は、当初の作業指示が画像処理モジュール１００によって変更されたことを知ることになる。
通常、印刷ワークフローの作業指示は上位管理システム（アプリケーションを含む）を介して行われるが、例えば、エラーリカバリのために印刷装置を（上位管理システム側から）変更したりすることも可能である。そのため、現場で作業指示が画像処理モジュール１００によって変更され、その変更した結果を上位管理システムに通知するようにすべきである。
【０１０４】
操作者は印刷ジョブＪｏｂＡを実行するために、所定の操作を情報処理装置（ＤＦＥ、画像形成装置２００等）の操作画面から行うことになる。その結果、操作者は一つの印刷ジョブＪｏｂＡを完遂するためにＪｏｂＡ＿１とＪｏｂＡ＿２という分割された２つの印刷ジョブを順次処理するようプリンタを操作しなければならない。
印刷ワークフローにおいて、操作者（作業者）は、どの工程でどのような処理を実行し、処理結果を次工程に引き渡す等の具体的な作業を指示する文書（作業指示書）に基づき作業を遂行している。
【０１０５】
印刷ジョブが複数の印刷ジョブに分割された場合、操作者は当初の印刷ジョブＪｏｂＡに係る作業指示に代えて、ＪｏｂＡ＿１とＪｏｂＡ＿２に係る作業指示に基づいて作業する必要がある。そこで、第３の実施の形態では、ＪｏｂＡ＿１とＪｏｂＡ＿２からなる（分割）印刷ジョブを実行するに先立ち、例えば、印刷ジョブを実行しようとしているプリンタ（画像形成装置２００、ＤＦＥ）で新たな作業指示書を出力する。新たな作業指示書に記載される作業指示の内容としては、例えば、画像形成装置２００のタッチパネル２０５に表示されるダイアログの内容（第１の実施の形態、第２の実施の形態で説明した内容）を示せばよい。
作業指示書は必ずしも印刷ジョブを実行しようとしているプリンタで出力する必要はなく、別のプリンタから出力してもよいし、又は、スマートフォンやノートパッドのような携帯情報端末の画面に表示してもよい。
なお、画像形成装置２００で新たな作業指示書を生成した場合は、印刷ワークフローを管理している上位管理システムやアプリケーションに対して新たな作業指示書により置換される当初の作業指示書に関連付けて新たな作業指示書を画像形成装置２００から登録する。作業指示書が置換された旨（及び新たな作業指示書）をワークフロー管理システムに通知することにより、管理システムは印刷ワークフロー全体が計画通り進捗しているか否か、各作業工程で作業ミスが発生しているか否か、各作業工程に要するコストなどを、作業現場で（緊急に）作業指示が変更された場合であっても管理することが可能になる。
【０１０６】
そこで、第３の実施の形態を以下のように把握してもよい。
画像処理モジュール１００（画像処理モジュール１５００）は、印刷ジョブ生成モジュール１２０（印刷ジョブ生成モジュール１５２０）によって生成された印刷ジョブに関する情報を出力する出力モジュールを有していてもよい。
出力先として、印刷装置、ディスプレイ等の表示装置、ユーザーが有している端末装置、又は、前記印刷ジョブが関わるワークフローを管理している管理装置であってもよい。
出力する内容（印刷ジョブ生成モジュール１２０（印刷ジョブ生成モジュール１５２０）によって生成された印刷ジョブに関する情報）として、その印刷ジョブの名称（分割ジョブテーブル１１００の分割印刷ジョブ欄１１２０の内容）、元の印刷ジョブ（分割前の印刷ジョブ）の名称（分割ジョブテーブル１１００の元印刷ジョブ欄１１１０の内容）、その印刷ジョブの内容（分割ジョブテーブル１１００の印刷ジョブ内容欄１１３０の内容）を含めてもよい。
また、出力モジュールは、印刷ジョブ生成モジュール１２０（印刷ジョブ生成モジュール１５２０）によって生成された印刷ジョブに関する情報をユーザーへの作業指示書として出力するようにしてもよい。その場合、各回の印刷における印刷物を給紙モジュール２１０にセットする旨を、その出力に含めるようにしてもよい。また、その印刷物の画像（縮小画像）と給紙モジュール２１０にセットするときの方向（奥側、手前等）を含めて出力するようにしてもよい。ユーザーにとって、給紙モジュール２１０にセットする方向はわかりにくい場合があるためである。
【０１０７】
図２０を参照して、本実施の形態の画像処理装置のハードウェア構成例について説明する。図２０に示す構成は、例えばパーソナルコンピュータ（ＰＣ）等によって構成されるものであり、スキャナ等のデータ読み取り部２０１７と、プリンタ等のデータ出力部２０１８を備えたハードウェア構成例を示している。
【０１０８】
ＣＰＵ（Ｃｅｎｔｒａｌ  Ｐｒｏｃｅｓｓｉｎｇ  Ｕｎｉｔ）２００１は、前述の実施の形態において説明した各種のモジュール、すなわち、ＵＩ制御モジュール１１０、受付モジュール１１２、表示モジュール１１４、印刷ジョブ生成モジュール１２０、印刷制御モジュール１３０、印刷実行モジュール１４０、印刷ジョブ生成モジュール１５２０、総量規制モジュール１５２５等の各モジュールの実行シーケンスを記述したコンピュータ・プログラムにしたがった処理を実行する制御部である。
【０１０９】
ＲＯＭ（Ｒｅａｄ  Ｏｎｌｙ  Ｍｅｍｏｒｙ）２００２は、ＣＰＵ２００１が使用するプログラムや演算パラメータ等を格納する。ＲＡＭ（Ｒａｎｄｏｍ  Ａｃｃｅｓｓ  Ｍｅｍｏｒｙ）２００３は、ＣＰＵ２００１の実行において使用するプログラムや、その実行において適宜変化するパラメータ等を格納する。これらはＣＰＵバス等から構成されるホストバス２００４により相互に接続されている。
【０１１０】
ホストバス２００４は、ブリッジ２００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス２００６に接続されている。
【０１１１】
キーボード２００８、マウス等のポインティングデバイス２００９は、操作者により操作されるデバイスである。ディスプレイ２０１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス２００９とディスプレイ２０１０の両方の機能を備えているタッチスクリーン等であってもよい。その場合、キーボードの機能の実現について、キーボード２００８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【０１１２】
ＨＤＤ（Ｈａｒｄ  Ｄｉｓｋ  Ｄｒｉｖｅ）２０１１は、ハードディスク（フラッシュ・メモリ等であってもよい）を内蔵し、ハードディスクを駆動し、ＣＰＵ２００１によって実行するプログラムや情報を記録又は再生させる。ハードディスクには、印刷データ、印刷ジョブ、隠蔽率・トナー総出力プロファイルテーブル８００、媒体の属性等が格納される。さらに、その他の各種データ、各種コンピュータ・プログラム等が格納される。
【０１１３】
ドライブ２０１２は、装着されている磁気ディスク、光ディスク、光磁気ディスク、又は半導体メモリ等のリムーバブル記録媒体２０１３に記録されているデータ又はプログラムを読み出して、そのデータ又はプログラムを、インタフェース２００７、外部バス２００６、ブリッジ２００５、及びホストバス２００４を介して接続されているＲＡＭ２００３に供給する。なお、リムーバブル記録媒体２０１３も、データ記録領域として利用可能である。
【０１１４】
接続ポート２０１４は、外部接続機器２０１５を接続するポートであり、ＵＳＢ、ＩＥＥＥ１３９４等の接続部を持つ。接続ポート２０１４は、インタフェース２００７、及び外部バス２００６、ブリッジ２００５、ホストバス２００４等を介してＣＰＵ２００１等に接続されている。通信部２０１６は、通信回線に接続され、外部とのデータ通信処理を実行する。データ読み取り部２０１７は、例えばスキャナであり、ドキュメントの読み取り処理を実行する。データ出力部２０１８は、例えばプリンタであり、ドキュメントデータの出力処理を実行する。
【０１１５】
なお、図２０に示す画像処理装置のハードウェア構成は、１つの構成例を示すものであり、本実施の形態は、図２０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２０に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【０１１６】
前述の第２の実施の形態においては、トナーの総量規制を超えた画素が１画素でもあった場合は、印刷ジョブを分割したが、予め定められた数より多い又は以上の画素がトナーの総量規制を超えた場合に、印刷ジョブを分割するようにしてもよい。又は、印刷する面積の予め定められた割合より多い又は以上の画素がトナーの総量規制を超えた場合に、印刷ジョブを分割するようにしてもよい。
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【０１１７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１１８】
１００…画像処理モジュール
１１０…ＵＩ制御モジュール
１１２…受付モジュール
１１４…表示モジュール
１２０…印刷ジョブ生成モジュール
１３０…印刷制御モジュール
１４０…印刷実行モジュール
２００…画像形成装置
２０５…タッチパネル
２１０…給紙モジュール
２１５…排紙モジュール
１５００…画像処理モジュール
１５２０…印刷ジョブ生成モジュール
１５２５…総量規制モジュール
【図１】
2019198977.tif 000003
【図２】
2019198977.tif 000004
【図３】
2019198977.tif 000005
【図４】
2019198977.tif 000006
【図５】
2019198977.tif 000007
【図６】
2019198977.tif 000008
【図７】
2019198977.tif 000009
【図８】
2019198977.tif 000010
【図９】
2019198977.tif 000011
【図１０】
2019198977.tif 000012
【図１１】
2019198977.tif 000013
【図１２】
2019198977.tif 000014
【図１３】
2019198977.tif 000015
【図１４】
2019198977.tif 000016
【図１５】
2019198977.tif 000017
【図１６】
2019198977.tif 000018
【図１７】
2019198977.tif 000019
【図１８】
2019198977.tif 000020
【図１９】
2019198977.tif 000021
【図２０】
2019198977.tif 000022